(57)【要約】【課題】ジョイントコネクタをワイヤハーネスの幹線外周に簡単に固定できる取付部品を提供する。【解決手段】ジョイントコネクタの収容部を設けた上面開口のボックス状の固定台座を備え、該固定台座の下面にバンド通し枠を突設し、該バンド通し枠に通す締結バンドをワイヤハーネスの外周に巻き付けて締結固定できるようにし、かつ、前記収容部の周壁の一辺にジョイントコネクタに接続される電線の引出口を設けると共に、他の周壁のうち少なくとも２辺の周壁の内面上部から前記収容部に突出する固定爪を突設し、該固定爪と収容部の底壁との間に前記ジョイントコネクタの厚さ以下の隙間をあけ、前記固定爪を撓ませて前記隙間に押し込まれる前記ジョイントコネクタの周縁部を前記固定爪で位置決め固定できる構成としている。【選択図】図２
2012243475.tif 000002
【特許請求の範囲】
【請求項１】
ジョイントコネクタの収容部を設けた上面開口のボックス状の固定台座を備え、該固定台座の下面にバンド通し枠を突設し、該バンド通し枠に通す締結バンドをワイヤハーネスの外周に巻き付けて締結固定できるようにし、かつ、前記収容部の周壁の一辺にジョイントコネクタに接続される電線の引出口を設けると共に、他の周壁のうち少なくとも２辺の周壁の内面上部から前記収容部に突出する固定爪を突設し、該固定爪と収容部の底壁との間に前記ジョイントコネクタの厚さ以下の隙間をあけ、前記固定爪を撓ませて前記隙間に押し込まれる前記ジョイントコネクタの周縁部を前記固定爪で位置決め固定できる構成としていることを特徴とするワイヤハーネスへのジョイントコネクタ取付部品。
【請求項２】
前記固定爪は、その下面を収容する前記ジョイントコネクタのハウジングの周縁の上面を押し付ける位置に設けていると共に、該固定爪の突出側上部を突出端に向けて薄肉化するように傾斜して撓み易くし、かつ、
前記電線の引出口の両側に周壁を残し、前記ジョイントコネクタの電線接続側の端面の両側を係止する構成としている請求項１に記載のワイヤハーネスへのジョイントコネクタ取付部品。
【請求項３】
請求項１または請求項２に記載の取付部品を複数備え、各取付部品に設けた前記バンド通し枠に前記締結バンドのバンド部を順次挿通し、複数の取付部品を前記ワイヤハーネスの外周面に周方向に並設して取り付けているワイヤハーネスへのジョイントコネクタ取付構造。
【請求項４】
請求項３に記載のジョイントコネクタ取付構造の形成方法であって、前記取付部品のバンド通し枠に締結バンドのバンド部を順次通して、ワイヤハーネスの外周面に前記バンド部を巻き付けて締結し、複数の取付部品を周方向に並列した状態でワイヤハーネスの外周面に固定した後、
前記ワイヤハーネスの幹線から分岐する電線端末に接続したジョイントコネクタを前記取付部品に一対一で挿入固定するワイヤハーネスへのジョイントコネクタ取付方法。
【発明の詳細な説明】
【技術分野】
【０００１】
本発明はワイヤハーネスへのジョイントコネクタ取付部品に関し、詳しくは、自動車に配索するワイヤハーネスの電線群から分岐させてスプライス接続する電線を収容するジョイントコネクタをワイヤハーネスの外周面に搭載固定するジョイントコネクタ取付部品に関する。
【背景技術】
【０００２】
従来、この種のジョイントコネクタとして、特開２００９−１７０２８９号公報に図７（Ａ）に示すように、ワイヤハーネス５１の外周面に電線５３の端末に接続したジョイントコネクタ５０を搭載し、粘着テープ５２をジョイントコネクタ５０の外面からワイヤハーネス５１の外周面にかけて巻き付けて固着している。
【０００３】
前記ジョイントコネクタ５０は、図７（Ｂ）（Ｃ）に示すように薄型化および小型化が図られ、ハウジング５５内にタブ状端子６０ａを分岐して突設したジョイントバスバー６０を収容し、電線５３の端末に接続した端子６１を前記タブ状端子６０ａと嵌合接続し、かつ、ハウジング５５の外壁にランス５７を切り起こして設け、該ランス５７を端子６１に係止している。なお、該ジョイントコネクタ５０をスプライスパーツと称する場合もある。
【先行技術文献】
【特許文献】
【０００４】
【特許文献１】特開２００９−１７０２８９号公報
【発明の概要】
【発明が解決しようとする課題】
【０００５】
前記ジョイントコネクタ５０は小型且つ薄型であり、例えば、４本〜８本の電線５３を接続してスプライス接続するジョイントコネクタでは、縦横寸法が２２〜２５ｍｍ×１２〜２０ｍｍで、厚さが約５〜６ｍｍ程度である。
複数個の前記ジョイントコネクタをワイヤハーネスの外周の周方向に間隔あけて同一周上に搭載して粘着テープで固着する場合、これらジョイントコネクタが小さく且つ薄いために位置決め固定作業が非常にやりにくく、作業能率が悪くなると共に取付精度も悪くなりやすい問題がある。
【０００６】
本発明は前記問題に鑑みてなされたもので、小型かつ薄型のジョイントコネクタをワイヤハーネスの外周に周方向に間隔をあけて簡単かつ精度よく搭載固定できるジョイントコネクタ取付部品を提供することを課題としている。
【課題を解決するための手段】
【０００７】
前記課題を解決するため、本発明は、ジョイントコネクタの収容部を設けた上面開口のボックス状の固定台座を備え、該固定台座の下面にバンド通し枠を突設し、該バンド通し枠に通す締結バンドをワイヤハーネスの外周に巻き付けて締結固定できるようにし、かつ、前記収容部の周壁の一辺にジョイントコネクタに接続される電線の引出口を設けると共に、他の周壁のうち少なくとも２辺の周壁の内面上部から前記収容部に突出する固定爪を突設し、該固定爪と収容部の底壁との間に前記ジョイントコネクタの厚さ以下の隙間をあけ、前記固定爪を撓ませて前記隙間に押し込まれる前記ジョイントコネクタの周縁部を前記固定爪で位置決め固定できる構成としていることを特徴とするワイヤハーネスへのジョイントコネクタの取付部品を提供している。
【０００８】
前記のように、本発明のジョイントコネクタ取付部品はジョイントコネクタを収容固定する固定台座の下面にバンド通し枠を突設しているため、該バンド通し枠に締結バンドのバンド部を通し、該締結バンドをワイヤハーネスの外周に締結固定するため、ジョイントコネクタが小型であっても簡単にワイヤハーネスの所要位置の外周に取り付けることができ、作業性を高めることができる。
かつ、ワイヤハーネスの同一周上に複数のジョイントコネクタを並列する際に、１本の締結バンドのバンド部を順次通していくだけでよいため、作業能率を高めることができると共に仕上がり精度を保つことができる。
【０００９】
本発明の固定台座の収容部に収容するジョイントコネクタは、前記図７に示す小型且つ薄型のジョイントコネクタと同様な構成としている。即ち、ハウジング内に複数の端子部を分岐して設けたジョイントバスバーを収容し、該ハウジングにタブ状端子を接続した電線端末を挿入し、該タブ状端子を前記ジョイントバスバーの端子部と接続すると共に、前記ハウジングに切り起こして設けたランスで前記電線端末の端子を係止する構成としている。該ジョイントコネクタは本発明の取付部品の収容部に前記ランス側を収容部の底壁側となるように収容することが好ましい。該構成とするとランスの間の切り込みが外部に露出せず、該切り込みからの外部干渉材の挿入を阻止できる利点がある。
なお、本発明の固定台座の収容部に収容するジョイントコネクタは前記形状に限定されない。
【００１０】
また、固定台座の下面に突設したバンド通し枠にバンド部を通す締結バンドは、汎用の樹脂成形品からなり、締結部本体からバンド部を突設し、該バンド部に鋸歯状の係止溝を設け、前記締結部本体にバンド部を貫通する貫通穴を設け、該貫通穴の内面から突設する係止片をバンド部の係止溝に挿入係止してバンド部を締結固定する構成としている。
【００１１】
本発明の前記固定台座の収容部に突設する前記固定爪は、その下面を収容する前記ジョイントコネクタのハウジングの周縁の上面に押し付ける位置に設けていると共に、該固定爪の突出側上部を突出端に向けて薄肉化するように傾斜して撓み易くし、かつ、
前記電線の引出口の両側に周壁を残し、前記ジョイントコネクタの電線接続側の端面の両側を係止することが好ましい。
固定爪を前記形状とすることで、収容部内にジョイントコネクタを挿入するだけで固定爪で押圧固定することができる。また、引出口を挟む両側に周壁を残すことでジョイントコネクタが電線接続側からの引っ張りで収容部から抜け出るのを防止できる。
【００１２】
前記固定台座の収容部は四角形状とし、四角形状とした１つの前記ジョイントコネクタを収容部に収容し、該収容部を囲む周壁のうち、前記引出口と対向する奥側周壁と、該奥側周壁を挟む両側周壁の中間位置に上記固定爪を設けていることが好ましい。
このように、引出口を設けた周壁を除く３辺に固定爪を突設すると収容部に挿入するジョイントコネクタを安定して位置決め保持できる。
【００１３】
前記ジョイントコネクタのハウジングの一辺に段状突起がある場合、該段状突起に押し当てる固定爪の下面に、段状突起と嵌合する凹部を設けている。この凹部に段状突起を嵌合することでジョイントコネクタをより確実に位置決め保持することができる。
【００１４】
また、本発明は前記取付部品を複数備え、各取付部品に設けた前記バンド通し枠に前記締結バンドのバンド部を順次挿通し、複数の取付部品を前記ワイヤハーネスの外周面に周方向に並設して取り付けているワイヤハーネスへのジョイントコネクタ取付構造を提供している。
【００１５】
さらに、本発明は前記ジョイントコネクタ取付構造の形成方法であって、前記取付部品のバンド通し枠に締結バンドのバンド部を順次通して、ワイヤハーネスの外周面に前記バンド部を巻き付けて締結し、複数の取付部品を周方向に並列した状態でワイヤハーネスの外周面に固定した後、
前記ワイヤハーネスの幹線から分岐する電線端末に接続したジョイントコネクタを前記取付部品に一対一で挿入固定するワイヤハーネスへのジョイントコネクタ取付方法を提供している。
【００１６】
前記のように、本発明のジョイントコネクタの取付部品にバンド部を通してワイヤハーネスの外周面に固定しておき、この固定した各ジョイントコネクタの取付部品に、ワイヤハーネスの枝線に接続したジョイントコネクタを挿入固定していくと、ジョイントコネクタのワイヤハーネス固定作業が容易になる利点を有する。
【発明の効果】
【００１７】
前述したように、本発明のワイヤハーネスへのジョイントコネクタの取付部品は、その固定台座の下面にバンド通し枠を設け、該バンド通し枠に締結バンドのバンド部を通し、かつ、複数の取付部品のバンド通し枠にバンド部を順次通し、該締結バンドをワイヤハーネスの外周で締結することで、複数のジョイントコネクタを同一周方向で並列して簡単に取り付けることができる。
また、取付部品の収容部にジョイントコネクタを挿入するだけで固定爪で保持固定でき、取付部品へのジョイントコネクタの組みつけもワンタッチで行うことができる。
【図面の簡単な説明】
【００１８】
【図１】本発明の実施形態の取付部品にジョイントコネクタを取り付けてワイヤハーネス外周に搭載した状態を示し、（Ａ）はワイヤハーネスの軸直角方向の断面図、（Ｂ）は図１の上側部を示す斜視図である。
【図２】前記取付部品を示し、（Ａ）は斜視図、（Ｂ）は側面図、（Ｃ）は断面図、（Ｄ）は固定爪の斜視図である。
【図３】取付部品の収容部にジョイントコネクタを収容している状態を示す概略断面図である。
【図４】締結バンドの斜視図である。
【図５】ジョイントコネクタを示し、（Ａ）は分解斜視図、（Ｂ）は断面図、（Ｃ）は底面図である。
【図６】取付部品の変形例の平面図である。
【図７】（Ａ）（Ｂ）（Ｃ）は従来例を示す図面である。
【発明を実施するための形態】
【００１９】
以下、本発明の実施形態を図面を参照して説明する。
図１乃至図５に示す実施形態では、図１に示すように、自動車に配索するワイヤハーネス５１の幹線の外周に９０度間隔をあけて同一周上に、４つのジョイントコネクタの取付部品１（１Ａ〜１Ｄ）を間隔をあけて締結バンド２を介して搭載している。  
【００２０】
図２に示す取付部品１は樹脂成形品であり、ジョイントコネクタ３の収容部６を設けた上面開口のボックス状の固定台座７を備えている。該固定台座７は矩形状の底壁７ａの４辺から周壁７ｂ〜７ｅが突出し、これら底壁７ａと周壁７ｂ〜７ｅで四角形状の浅底の凹部とした前記収容部６を囲んでいる。周壁７ｂの中央部に幅広の電線引出口８を設け該電線引出口８を挟む両側に周壁７ｂを残し、収容部６に収容するジョイントコネクタ３が電線引出口８から抜け出るのを防止している。
【００２１】
残りの３つの周壁７ｃ〜７ｅ、即ち、電線引出口８と対向する奥側の周壁７ｄ、該周壁７ｄを挟む両側の周壁７ｃ、７ｅの３辺の周壁の内面上部から収容部６に向けて突出する固定爪９（９Ａ、９Ｂ、９Ｃ）を突設している。
図２（Ｄ）に示すように、これら固定爪９は周壁７ｃ〜７ｅの先端面から上面を突出させ、突出側に漸次薄肉となる傾斜面９ｓを設けている。固定爪９Ａと９Ｂの下面は平坦な水平面とし、固定爪９Ｃはジョイントコネクタ３の後述する側縁段部３ａを嵌合する段状凹部９ｈを設けている。
【００２２】
図３に示すように、前記３つの固定爪９（９Ａ〜９Ｃ）の突出側の下面９ｕと収容部６の底壁７ａとの寸法（ｈ）はジョイントコネクタ３の厚さ（ｔ）と同一または１〜２ｍｍ程度小さくしている。これにより、ジョイントコネクタ３の挿入時に少し撓んで固定爪９と底壁７ａとの間に挿入するジョイントコネクタ３の周縁部を押し下げるようにしている。また、段状凹部９ｈにジョイントコネクタ３の側縁段部３ａが嵌合することで、該ジョイントコネクタ３の位置ずれを防止している。
【００２３】
固定台座７の底壁７ａの下面にコ字状としたバンド通し枠１０を突設し、該バンド通し枠１０に前記締結バンド２のバンド部２０を通すようにしている。
該締結バンド２として汎用の樹脂成形品の締結バンドを用いており、図４に示すように、締結部本体２１からバンド部２０を突設し、該バンド部２０に鋸歯状の係止溝２０ａを設け、締結部本体２１にバンド部２０を貫通する貫通穴２１ａを設け、貫通穴２１ａの内面から突設する係止片２１ｂをバンド部２０の係止溝２０ａに挿入係止してバンド部２０を締結固定する構成としている。
【００２４】
前記固定台座７の収容部６に収容するジョイントコネクタ３は、前記図７に示す小型且つ薄型のジョイントコネクタと同様な構成としている。即ち、図５（Ａ）〜（Ｃ）に示すように、ハウジング２５の一側内に複数のタブ状の端子部２６ａを連続基部２６ｂから分岐して設けたジョイントバスバー２６を収容している。本実施形態で用いるジョイントコネクタ３はワイヤハーネス５１の幹線から分岐する８本の枝線の電線５３を１つのジョイントコネクタ３でスプライス接続する８極用としている。よって、前記ジョイントバスバー２６に設ける端子部２６ａは８個とし、ハウジング２５内に仕切り壁で仕切って、前記各端子部２６ａを挿入する端子収容室２５ａを設けている。これら端子収容室２５ａの外壁となるハウジング２５にランス２５ｂを切り起こして設けている。
【００２５】
ハウジング２５の他端に各端子収容室２５ａへの電線挿入口２５ｃを設けている。図５（Ｂ）に示すように、前記電線５３の端末の絶縁被覆を皮剥ぎして露出した電線の芯線にメス端子５５を接続し、該メス端子５５を電線挿入口２５ｃより挿入してジョイントバスバー２６のタブ状の端子部２６ａと嵌合接続して、８本の電線５３を互いに導通させてスプライス接続している。かつ、該電線５３のメス端子５５は前記ランス２５ｂで係止して嵌合が外れるのを防止している。
【００２６】
次に、前記取付部品１のワイヤハーネス５１の外周への固定工程および取付部品１へのジョイントコネクタ３の取付工程について説明する。
【００２７】
まず、取付部品１の固定台座７に設けた収容部６にジョイントコネクタ３を挿入する前に、取付部品１をワイヤハーネス５１の外周面に締結バンド２を用いて９０度間隔で固定する。
具体的には、４個の取付部品１（１Ａ〜１Ｄ）と１本の締結バンド２を用意し、各取付部品１の固定台座７の下面に突設したバンド通し枠１０に締結バンド２のバンド部２０を順次通していき、１本のバンド部２０で４個の取付部品１を支持した状態とする。
【００２８】
このように、バンド部２０を通した後に、締結バンド２をワイヤハーネス５１の外周に巻き付け、締結部本体２１の貫通穴２１ａにバンド部２０を貫通させ、該バンド部２０の鋸歯状の係止溝２０ａに係止片２１ｂを挿入係止して締結バンド２をワイヤハーネス５１の外周面に固定する。其の際、バンド部２０に通した４つの取付部品１を略９０度間隔に配置する状態として締結固定する。各取付部品１は収容部６の上面開口を外方に位置させ、電線引出口８を一側方に位置させた状態となる。
【００２９】
前記のようにワイヤハーネス５１の外周面に４個の取付部品１を同一周上に間隔をあけて配置した後に、ワイヤハーネス５１から分岐する枝線にそれぞれ接続した４つのジョイントコネクタ３（３Ａ〜３Ｄ）を一対一で取付部品１の収容部６にそれぞれ挿入する。
【００３０】
収容部６にジョイントコネクタ３を挿入する際、ジョイントコネクタ３の電線接続側を電線引出口８側に向けて収容部６の上方から奥側周壁７ｄに向けて傾斜させて差し込んでいく。該差し込み時に、ジョイントコネクタ３のランス２５ｂを下向きとし、底壁７ａに当接する向きとしている。該差し込み過程で、両側の固定爪９Ａと９Ｃの突出側を上方に撓ませて挿入していき、ジョイントコネクタ３の挿入側先端を奥側周壁７ｄの内面に突き当てて、固定爪９Ｂと底壁７ａの間に位置させる。該状態に達すると、ジョイントコネクタ３の電線接続側の端面は周壁７ｂの内面に突き当てられ、ジョイントコネクタ３は底壁７ａ上に当接した状態で収容され、該ジョイントコネクタ３の４周面は周壁７ｂ〜７ｅの内面に当接し、かつ、周縁の上面は固定爪９Ａ、９Ｂ、９Ｃで上方から押圧固定される。さらに、ジョイントコネクタ３のランス２５ｂが下向きで底壁７ａに接しているため外部干渉材と干渉せず、かつ、ランス２５ｂが底壁７ａにより係止方向に押圧されるため、電線５３の抜け止めを確実に図ることができる。
前記のように、ワイヤハーネス５１の幹線から分岐した電線５３の端末のジョイントコネクタ３を略ワンタッチで取付部品の収容部６内に収容し、固定爪９で収容固定することができる。
【００３１】
また、取付部品１（１Ａ〜１Ｄ）をワイヤハーネス５１の外周に固定した後に、図１に示すように、該取付部品１Ａ〜１Ｄに電線５３と接続したジョイントコネクタ３（３Ａ〜３Ｄ）を挿入している。各取付部品１は各ジョイントコネクタ３にとって最適の角度位置でワイヤハーネス５１に配置しており、ジョイントコネクタ３と取付部品１との組付作業性、取付部品１とワイヤハーネス５１との組付作業性の両方を高めることができる。  
【００３２】
本発明は前記実施形態に限定されず、図６に示すように、固定爪９を周壁７ｃ、７ｄ、７ｅの全長の上面から中央部に向けて傾斜させて突出した補助枠部１３を突設し、該補助枠部１３の中央に前記固定爪９を突設してもよい。
この場合、収容部６に挿入するジョイントコネクタ３をより確実に位置決め固定できる。
【００３３】
また、取付部品に設ける収容部６の大きさ及び形状をジョイントコネクタに合わせて変更し、例えば、６極ジョイントコネクタを収容部６に丁度嵌合できるように取付部品１を小型化してもよい。この６極用と前記８極用のジョイントコネクタを収容する取付部品を別個に設け、これら大きさを変えた複数の取付部品を１本の締結バンドで連結してワイヤハーネスの外周に取り付けてもよい。
さらに、１本の締結バンドを用いてワイヤハーネスの同一周上に並列させる取付部品１の個数は４個に限定されず、１〜３個、５個以上としてもよい。
また、各ジョイントコネクタを各取付部品の収容部に収容した状態で締結ベルトを通してワイヤハーネスの外周に固定してもよい。
【符号の説明】
【００３４】
１（１Ａ〜１Ｄ）  取付部品
２  締結バンド
３  ジョイントコネクタ
６  収容部
７  固定台座
７ａ  底壁
７ｂ〜７ｅ  周壁
８  電線引出口
９（９Ａ、９Ｂ、９Ｃ）  固定爪
９ｓ  傾斜面
１０  バンド通し枠
２０  バンド部
２１  締結部本体
２５  ハウジング
２６  ジョイントバスバー
５１  ワイヤハーネス
５３  電線
【図１】
2012243475.tif 000003
【図２】
2012243475.tif 000004
【図３】
2012243475.tif 000005
【図４】
2012243475.tif 000006
【図５】
2012243475.tif 000007
【図６】
2012243475.tif 000008
【図７】
2012243475.tif 000009